(57)【要約】  【課題】可視光線領域内の波長を発光する発光ダイオードを冷蔵庫等の庫内照明として使用する場合に、複数の発光ダイオードの個々の電流を制御でき、庫内照度の均一化を図ることのできる冷蔵庫を提供するものである。  【解決手段】冷蔵室１０４の扉１０６開時に、照度検知装置１０７が発光ダイオードＡ１０１と発光ダイオードＢ１０２と発光ダイオードＣ１０３の個々の電流を変化させて庫内照度の細かな均一化を図ることができるものである。【選択図】図１
2008164218.tif 000002
【特許請求の範囲】
【請求項１】
冷蔵庫内を照射する照明装置として、可視光線領域内の波長を発光する複数の発光ダイオードを実装した実装基板を用いる照明装置と、冷蔵庫庫内の照度を検知し発光ダイオードの電流を変化させることができる照度検知装置を備え、前記照明装置が点灯するときには、前記照度検知装置が複数の発光ダイオードの個々の電流を制御する冷蔵庫。
【請求項２】
前記照度検知装置により、前記発光ダイオードの所定の制御ができなくなった場合は、前記発光ダイオードを点滅制御する請求項１に記載の冷蔵庫。
【請求項３】
ドア閉時に前記照度検知装置が、照度を検知すればドア隙があると判断し、発光ダイオードを点滅させさせるように制御する請求項１に記載の冷蔵庫。
【請求項４】
前記照度検知装置に最低照度値を備え、庫内照度が最低照度値以下にならないよう発光ダイオードの個々の電流を制御する請求項１に記載の冷蔵庫。
【請求項５】
自由に照度値を設定できる照度値設定手段を備え、設定された照度値に基づいて発光ダイオードの電流を制御する請求項１に記載の冷蔵庫。
【発明の詳細な説明】
【技術分野】
【０００１】
本発明は、照明装置を庫内に設置した冷蔵庫に関するものである。
【背景技術】
【０００２】
近年、冷蔵庫内照明装置として、従来の白熱灯や電球に変わり、発熱性が低い、赤外波長がでない、低電圧駆動できる等の理由で半導体発行素子を用いるものが提案されている。
【０００３】
従来の発光ダイオードを照明装置として利用した冷蔵庫としては、複数の発光ダイオードを正方形に配置し、庫内天面に設置して庫内照射しているものがある（例えば、特許文献１参照）。
【０００４】
図１１は特許文献１に記載された従来の製氷機の照明装置の斜視図であり、図１２は図１１の照明装置を製氷機の庫内天面に設置した概念図を示すものである。
【０００５】
図１１の照明装置３０において、実装基板１は平板状で、一面または両面に回路パターン（図示せず）が形成され、熱伝導性の良好なエポキシ樹脂系の基板や絶縁金属基板を使用する。白色ＬＥＤ２は砲弾状に形成され、ＧａＮ系の青色ＬＥＤからの青色光を用いて蛍光材を励起して白色光を得る構造で、電流を通電する２本の通電端子３が導出される。断熱板４は、ウレタン等の樹脂により平板状に形成され、複数の挿通孔が並設されて、実装基板１と発光ダイオード２との間に設けられる。ここで、発光ダイオード２は通電端子３が断熱板４の挿通孔に挿通され、実装基板１の回路パターンに半田付けされて実装され、複数個が実装基板１に並設される。尚、発光ダイオード２の発熱量が少ない場合には、断熱板４は廃止しても構わない。図１２において、照明装置３０は、製氷機３１の庫内の天面３２に配置されている。
【０００６】
以上のように構成された発光ダイオードを照明装置として利用した冷蔵庫について、以下その動作を説明する。
【０００７】
冷蔵庫の扉が閉まっている時には、発光ダイオード２への通電は行なわず、庫内は照射されていない。扉が開けられると、機械式スイッチやホールＩＣ等の電子式スイッチで開扉状態と判断され、発光ダイオード２に順方向電流が流れて、白色光が発光されて庫内が照射される。
【特許文献１】特開２００１−８２８６９号公報
【発明の開示】
【発明が解決しようとする課題】
【０００８】
しかしながら、上記従来の構成では、複数の発光ダイオードは決められた電流のみでの点灯のため、庫内照度が均一になりにくいといった課題を有していた。
【０００９】
本発明は、上記従来の課題を解決するもので、庫内照度の均一化を図る冷蔵庫を提供することを目的とする。
【課題を解決するための手段】
【００１０】
上記従来の課題を解決するために、本発明の冷蔵庫は、庫内照度を検知する照度検知装置にて庫内照度を検知し、複数の発光ダイオードの個々の電流を制御するものである。
【００１１】
これによって複数の発光ダイオードによる庫内照度の細かな均一化が可能である。
【発明の効果】
【００１２】
本発明の冷蔵庫は、庫内の照度を検知する照度検知装置にて庫内照度を検知し、複数の発光ダイオードの個々の電流を制御することで、庫内照度の細やかな均一化ができる。
【発明を実施するための最良の形態】
【００１３】
請求項１に記載の発明は、冷蔵庫内を照射する照明装置として、可視光線領域内の波長を発光する発光ダイオードを実装した実装基板を用いる照明装置と、庫内照度を検知し庫内照度が均一化するように前記発光ダイオードの個々の電流を変化させる照度検知装置を備え、前記照明装置が点灯したとき、前記照度検知装置が庫内照度を検知し庫内照度を均一化できるように前記発行ダイオードの個々の電流を変化させることにより、発光ダイオード点灯中の庫内照度の細かな均一化を図ることができる。
【００１４】
請求項２に記載の発明は、請求項１に記載の発明において、前記照度検知装置により、前記発光ダイオードの所定の制御ができなくなった場合は、前記発光ダイオードを点滅制御するものであり、発光ダイオードの故障を知らせることができる。
【００１５】
請求項３に記載の発明は、請求項１に記載の発明において、ドアが閉まっている時に照度検知装置が、庫内照度を検知すればドア隙があると判断し、発光ダイオードを点滅させるように電流を変化させることにより、ドア隙を知らせることができる。
【００１６】
請求項４に記載の発明は、請求項１に記載の発明において、前記照度検知装置に最低照度値を備え、庫内照度が最低照度値以下にならないよう発光ダイオードの個々の電流を制御するものであり、発光ダイオード点灯中の庫内照度の均一化と適切な照度を確保することができる。
【００１７】
請求項５に記載の発明は、請求項１に記載の発明において、自由に照度値を設定できる照度値設定手段を備え、設定された照度値に基づいて発光ダイオードの電流を制御するものであり、使用者の好みの庫内照度に設定できるものである。
【００１８】
以下、本発明の実施の形態について、図面を参照しながら説明するが、従来例または先に説明した実施の形態と同一構成については同一符号を付して、その詳細な説明は省略する。尚、この実施の形態によってこの発明が限定されるものではない。
【００１９】
（実施の形態１）
以下、本発明の実施の形態１を図１に基づいて説明する。図１は、本発明の実施の形態１における冷蔵庫の断面図である。照明装置の発光ダイオードＡ１０１と発光ダイオードＢ１０２と発光ダイオードＣ１０３は、冷蔵室１０４内の天面に配設されている。扉開閉検出手段１０５は冷蔵室１０４の扉１０６の開閉状態を検出する。照度検知装置１０７は冷蔵室１０４の下面に設置されていて、庫内照度を検知するとともに庫内照度の均一化のため発光ダイオードＡ１０１と発光ダイオードＢ１０２と発光ダイオードＣ１０３の個々の電流を変化させる。
【００２０】
以上のように構成された冷蔵庫について、以下、図２の本実施の形態の冷蔵庫のフローチャートを用いて動作、作用を説明する。
【００２１】
ステップ１００において扉開閉検出手段１０５による扉１０６の状態が閉状態にある場合は開状態になるまでステップ１００で待機する。開状態になればステップ１０１に進み、照度検知装置１０７が発光ダイオードＡ１０１と発光ダイオードＢ１０２と発光ダイオードＣ１０３に電流を流し点灯させる。次にステップ１０２で再度扉開閉検出手段１０５による扉１０６の状態が開状態であることを確認しステップ１０３進む。次のステップ１０３では照度検知装置１０７にて庫内照度の均一化を判断する。庫内照度が均一化されていなければステップ１０４にて照度装置の発光ダイオードＡ１０１と発光ダイオードＢ１０２と発光ダイオードＣ１０３の個々の電流を変化させてステップ１０３に戻り均一化されるまでこのステップは継続する。そして、庫内照度が均一化されればステップ１０２に戻る。
【００２２】
以上のように、本実施の形態においては、発光ダイオードＡ１０１と発光ダイオードＢ１０２と発光ダイオードＣ１０３の個々の電流を変化させることにより、庫内照度の細かな均一化を図ることができる。
【００２３】
（実施の形態２）
本発明の実施の形態２を図３に基づいて説明する。図３は、本発明の実施の形態２における冷蔵庫の断面図である。
【００２４】
なお、前記実施の形態１と同様の構成については詳細な説明は省略する。
【００２５】
照度検知装置Ａ２００は冷蔵室１０４の下面に設置されていて、庫内照度を検知し、また、庫内照度の均一化のため発光ダイオードＡ１０１と発光ダイオードＢ１０２と発光ダイオードＣ１０３の個々の電流を変化させ、また、庫内照度が均一化できないと発光ダイオードＡ１０１と発光ダイオードＢ１０２と発光ダイオードＣ１０３のいずれかが故障と判断し発光ダイオードＡ１０１と発光ダイオードＢ１０２と発光ダイオードＣ１０３を点滅させるように電流を変化させる。
【００２６】
以上のように構成された冷蔵庫について、以下、図４の本実施の形態の冷蔵庫のフローチャートを用いて動作、作用を説明する。
【００２７】
ステップ１０１からステップ１０４まで実施の形態１の構成と同じである。ステップ１０４にて照度検知装置Ａ２００が発光ダイオードＡ１０１と発光ダイオードＢ１０２と発光ダイオードＣ１０３の個々の電流を変化させて次のステップ２００に進む。ステップ２００では、再度庫内照度の均一化を検知して均一化されていればステップ１０２に戻る。均一化されていなければ、発光ダイオードＡ１０１と発光ダイオードＢ１０２と発光ダイオードＣ１０３のいずれかが故障と判断し次のステップ２０１で発光ダイオードＡ１０１と発光ダイオードＢ１０２と発光ダイオードＣ１０３に点滅させるように電流を変化させてステップ１０２に戻る。
【００２８】
以上のように、本実施の形態においては、発光ダイオードの個々の電流を変化させても庫内照度が均一化されなければ、発光ダイオードのいずれかが故障と判断し発光ダイオードを点滅させることにより、発光ダイオードの故障を知らせることができる。
【００２９】
（実施の形態３）
本発明の実施の形態３を図５に基づいて説明する。図５は、本発明の実施の形態３における冷蔵庫の断面図である。
【００３０】
なお、前記実施の形態１と前記実施の形態２と同様の構成については詳細な説明は省略する。
【００３１】
照度検知装置Ｂ３００は冷蔵室１０４の下面に設置されていて、庫内照度を検知し、また、庫内照度の均一化のため発光ダイオードＡ１０１と発光ダイオードＢ１０２と発光ダイオードＣ１０３の個々の電流を変化させ、また、発光ダイオードＡ１０１と発光ダイオードＢ１０２と発光ダイオードＣ１０３に電流を供給していない時に庫内照度を検知すると発光ダイオードＡ１０１と発光ダイオードＢ１０２と発光ダイオードＣ１０３を点滅させるように電流を変化させる。
【００３２】
以上のように構成された冷蔵庫について、以下、図６の本実施の形態の冷蔵庫のフローチャートを用いて動作、作用を説明する。
【００３３】
ステップ１００で扉１０６の状態が閉状態であればステップ３００に進む。ステップ３００で照度検知装置Ｂ３００が庫内照度を検知すればステップ３０１に進み発光ダイオードＡ１０１と発光ダイオードＢ１０２と発光ダイオードＣ１０３を点滅させるように電流を変化させてステップ１００に戻る。ステップ３００で庫内照度を検知しなければステップ１００に戻る。ステップ１０２からステップ１０４まで実施の形態１の構成と同じである。
【００３４】
以上のように、本実施の形態においては、扉閉時に照度検知装置が庫内照度を検知すればドア隙があると判断し発光ダイオードを点滅させることにより、ドア隙を知らせることができる。
【００３５】
（実施の形態４）
本発明の実施の形態４を図７に基づいて説明する。図７は、本発明の実施の形態４における冷蔵庫の断面図である。なお、前記実施の形態１と同様の構成については詳細な説明は省略する。
【００３６】
照度検知装置Ｃ４００は冷蔵室１０４の下面に設置されていて、庫内照度を検知し、また、庫内照度の均一化とあらかじめ設定する照度値以下（最低照度）にしないように発光ダイオードＡ１０１と発光ダイオードＢ１０２と発光ダイオードＣ１０３の個々の電流を変化させる。
【００３７】
以上のように構成された冷蔵庫について、以下、図８の本実施の形態の冷蔵庫のフローチャートを用いて動作、作用を説明する。
【００３８】
ステップ１０１から１ステップ１０４まで実施の形態１の構成と同じである。ステップ１０３にて庫内照度が均一になれば次のステップ４００に進む。ステップ４００では、庫内照度があらかじめ設定する照度値以下（最低照度）かどうか判断する。設定する照度値以下であればステップ４０１に進み発光ダイオードＡ１０１と発光ダイオードＢ１０２と発光ダイオードＣ１０３の個々の電流を変化させてステップ４００に戻る。また、設定する照度値以下でなければステップ１０２に戻る。
【００３９】
以上のように、本実施の形態においては、庫内照度があらかじめ設定する照度値以下にならないようにすることにより、発光ダイオードの長時間（例えば１０年）使用時の経年変化による照度減少が発生しても、庫内照度は設定する照度値以下になることを防止できる。
【００４０】
（実施の形態５）
本発明の実施の形態５を図９に基づいて説明する。図９は、本発明の実施の形態５における冷蔵庫の断面図である。
【００４１】
なお、前記実施の形態１と同様の構成については詳細な説明は省略する。
【００４２】
照度値設定スイッチ５００は、扉１０６に設置されていて、任意の照度値に設定できる。照度検知装置Ｄ５０１は冷蔵室１０４の下面に設置されていて、庫内照度を検知し、また、庫内照度の均一化と照度値設定スイッチで設定される照度値にするように発光ダイオードＡ１０１と発光ダイオードＢ１０２と発光ダイオードＣ１０３の個々の電流を変化させる。
【００４３】
以上のように構成された冷蔵庫について、以下、図１０の本実施の形態の冷蔵庫のフローチャートを用いて動作、作用を説明する。
【００４４】
ステップ１０１から１ステップ１０４まで実施の形態１の構成と同じである。ステップ１０３にて庫内照度が均一になれば次のステップ５００に進む。ステップ５００では、照度値設定スイッチで設定された照度と庫内照度を比較する。同じでなければステップ５０１に進み発光ダイオードＡ１０１と発光ダイオードＢ１０２と発光ダイオードＣ１０３の個々の電流を変化させてステップ５００に戻る。また、同じであればステップ１０２に戻る。
【００４５】
以上のように、本実施の形態においては、自由に照度値を設定できる照度値設定スイッチにより庫内照度値を設定できることにより、使用者の好みの庫内照度を設定できるものである。
【産業上の利用可能性】
【００４６】
以上のように、本発明にかかる冷蔵庫は、家庭用又は業務用冷蔵庫に発光ダイオードの照明を適用する場合に実施することはもちろん、扉のある物品貯蔵装置など発光ダイオード照明を適用する幅広い設備機器に応用できるものである。
【図面の簡単な説明】
【００４７】
【図１】本発明の実施の形態１における冷蔵庫の断面図
【図２】同実施の形態の冷蔵庫のフローチャート
【図３】本発明の実施の形態２における冷蔵庫の断面図
【図４】同実施の形態の冷蔵庫のフローチャート
【図５】本発明の実施の形態３における冷蔵庫の断面図
【図６】同実施の形態の冷蔵庫のフローチャート
【図７】本発明の実施の形態４における冷蔵庫の断面図
【図８】同実施の形態の冷蔵庫のフローチャート
【図９】本発明の実施の形態５における冷蔵庫の断面図
【図１０】同実施の形態の冷蔵庫のフローチャート
【図１１】従来の製氷機の照明装置の斜視図
【図１２】図１１の照明装置を製氷機の庫内天面に設置した概念図
【符号の説明】
【００４８】
１０１  発光ダイオードＡ
１０２  発光ダイオードＢ
１０３  発光ダイオードＣ
１０４  冷蔵室
１０５  扉開閉検出手段
１０６  扉
１０７  照度検知装置
２００  照度検知装置Ａ（照度検知装置）
３００  照度検知装置Ｂ（照度検知装置）
４００  照度検知装置Ｃ（照度検知装置）
５００  照度値設定スイッチ
５０１  照度検知装置Ｄ（照度検知装置）
【図１】
2008164218.tif 000003
【図２】
2008164218.tif 000004
【図３】
2008164218.tif 000005
【図４】
2008164218.tif 000006
【図５】
2008164218.tif 000007
【図６】
2008164218.tif 000008
【図７】
2008164218.tif 000009
【図８】
2008164218.tif 000010
【図９】
2008164218.tif 000011
【図１０】
2008164218.tif 000012
【図１１】
2008164218.tif 000013
【図１２】
2008164218.tif 000014